(57)【要約】【課題】  スポット的にエリアをカバーする無線通信システムにおいて、複雑な制御をすることなく、複数の基地局の通信エリア間を異なる速度で移動する移動体に情報を配信する。【解決手段】  制御局が、送信対象情報を複数の情報ブロックに分割し、第１の速度Ｖ１で移動すると仮定した移動体に１つの基地局から配信できる情報ブロック数Ｎ１毎に、情報ブロックを移動体の進行方向にある各基地局に割り当て、第１の速度Ｖ１に所定の速度ｖを加えた第２の速度Ｖ２で移動すると仮定した移動体に１つの基地局から配信できる情報ブロック数Ｎ２を求め、移動体への配信順序がN2番目以内にない情報を前方の基地局に再割当する処理を繰り返し行い、情報ブロックが配置された各基地局が、当該基地局の通信エリアを通過する移動体に当該情報ブロックを配信する。【選択図】  図６
2005109692.tif 000002
【特許請求の範囲】
【請求項１】
複数の基地局装置とこれらに接続された制御局装置とを備え、前記基地局装置の通信エリア間を移動する移動体に、前記制御局装置に保持された配信情報を、所定の大きさの情報ブロックに分割し、前記基地局装置を経由して配信する無線通信システムにおける当該制御局装置であって、
前記配信情報を蓄積する配信情報蓄積手段と、
前記移動体が前記基地局装置の通信エリア内を所定の速度で移動する間に、前記基地局装置が当該移動体に配信できる初期情報ブロック数Ｎ１を算出して保持する初期ブロック数保持手段と、
配信する情報ブロック数の変分値ｎを保持する変分値保持手段と、
基地局装置が配信する最小の情報ブロック数Ｎｍｉｎを保持する最小ブロック数保持手段と、
前記配信情報蓄積手段に蓄積されている情報ブロックを、前記初期ブロック数保持手段に保持されている前記初期情報ブロック数Ｎ１づつ、前記移動体の進行方向にある各基地局装置に、前記移動体への配信用情報ブロックとして割り当てる第1のブロック割り当て手段と、
前記初期情報ブロック数Ｎ１から前記変分値保持手段に保持されている変分値ｎを減じて得られる情報ブロック数を更新情報ブロック数Ｎ２として（ただし、（Ｎ１−ｎ）＜Ｎｍｉｎの場合は、Ｎ２＝Ｎｍｉｎとして）保持する更新ブロック数保持手段と、
既に基地局装置に割り当てられた前記配信用情報ブロックから、各基地局装置から前記移動体への配信順序が前記更新ブロック数Ｎ２番目以内にない情報ブロックを再送情報ブロックとして抽出し、前記更新ブロック数Ｎ２未満の前記配信用情報ブロックが割り当てられている基地局装置と、前記配信用情報ブロックが未割り当てであり移動体の進行方向前方にある基地局装置に、情報ブロック数が前記更新ブロック数Ｎ２以下になるように前記再送情報ブロックを配信用情報ブロックとして割り当てる第２のブロック割り当て手段と、
前記第２のブロック割り当て手段の更新ブロック数Ｎ２が前記最小の情報ブロック数Ｎｍｉｎを越えている場合には、前記更新ブロック数保持手段に保持されている更新情報ブロック数Ｎ２から、前記変分値ｎを減じて求めた情報ブロック数を新たな更新情報ブロック数Ｎ２として（ただし、（Ｎ２−ｎ）＜Ｎｍｉｎの場合は、Ｎ２＝Ｎｍｉｎとして）、前記更新ブロック数保持手段を更新し、前記第２のブロック割り当て手段による処理を、前記更新情報ブロック数Ｎ２が前記最小の情報ブロック数Ｎｍｉｎ以下になるまで繰り返す制御手段と、
前記基地局装置に割り当てられた情報ブロックを当該各基地局装置に配信する手段と、
を備えたことを特徴とする制御局装置。
【請求項２】
複数の基地局装置とこれらに接続された制御局装置とを備え、前記基地局装置の通信エリア間を移動する移動体に、前記制御局装置に保持された配信情報を、所定の大きさの情報ブロックに分割し、前記基地局装置を経由して配信する無線通信システムにおける当該制御局装置であって、
前記配信情報を蓄積する配信情報蓄積手段と、
前記移動体が前記基地局装置の通信エリア内を所定の速度で移動する間に、前記基地局装置が当該移動体に配信できる初期情報ブロック数Ｎ１を算出して保持する初期ブロック数保持手段と、
配信する情報ブロック数の変分値ｎを保持する変分値保持手段と、
基地局装置が配信する最小の情報ブロック数Ｎｍｉｎを保持する最小ブロック数保持手段と、
前記配信情報蓄積手段に蓄積されている情報ブロックを、前記初期ブロック数保持手段に保持されている前記初期情報ブロック数Ｎ１づつ、前記移動体の進行方向にある各基地局装置に、前記移動体への配信用情報ブロックとして割り当てる第1のブロック割り当て手段と、
前記初期情報ブロック数Ｎ１から前記変分値保持手段に保持されている変分値ｎを減じて得られる情報ブロック数を更新情報ブロック数Ｎ２として（ただし、（Ｎ１−ｎ）＜Ｎｍｉｎの場合は、Ｎ２＝Ｎｍｉｎとして）保持する更新ブロック数保持手段と、
既に基地局装置に割り当てられた前記配信用情報ブロックから、各基地局装置から前記移動体への配信順序が前記更新ブロック数Ｎ２番目以内にない情報ブロックを再送情報ブロックとして抽出し、前記配信用情報ブロックが未割り当てであり移動体の進行方向前方にある基地局装置に、情報ブロック数が前記更新ブロック数Ｎ２以下になるように前記再送情報ブロックを配信用情報ブロックとして割り当てる第２のブロック割り当て手段と、
前記第２のブロック割り当て手段の更新ブロック数Ｎ２が前記最小の情報ブロック数Ｎｍｉｎを越えている場合には、前記更新ブロック数保持手段に保持されている更新情報ブロック数Ｎ２から、前記変分値ｎを減じて求めた情報ブロック数を新たな更新情報ブロック数Ｎ２として（ただし、（Ｎ２−ｎ）＜Ｎｍｉｎの場合は、Ｎ２＝Ｎｍｉｎとして）、前記更新ブロック数保持手段を更新し、前記第２のブロック割り当て手段による処理を、前記更新情報ブロック数Ｎ２が前記最小の情報ブロック数Ｎｍｉｎ以下になるまで繰り返す制御手段と、
前記基地局装置に割り当てられた情報ブロックを当該各基地局装置に配信する手段と、
を備えたことを特徴とする制御局装置。
【請求項３】
前記初期情報ブロック数Ｎ１を、前記基地局装置の通信エリアを通過する移動体の予め設定された移動速度、及び基地局装置による情報ブロックの送信速度、基地局装置の通信エリアサイズを用いて決定することを特徴とする請求項１または２に記載の制御局装置。
【請求項４】
前記初期情報ブロック数Ｎ１を、移動体の情報ブロック受信能力を用いて決定することを特徴とする請求項１乃至３に記載の制御局装置。
【請求項５】
前記初期情報ブロック数Ｎ１を、前記基地局装置の通信エリアを情報ブロック割り当て以前に通過した移動体の速度の計測結果を用いて決定することを特徴とする請求項１乃至４に記載の制御局装置。
【請求項６】
前記最小の情報ブロック数Ｎｍｉｎを、前記基地局装置が設置された箇所で移動体に許可されている最高速度、及び前記基地局装置による情報ブロックの送信速度、前記基地局装置の通信エリアサイズを用いて決定することを特徴とする請求項１乃至５に記載の制御局装置。
【請求項７】
移動体から全情報ブロックを取得したことを受信し、該受信があったら、当該移動体向けに配備されている前記各基地局装置の情報ブロックを無効とする手段を更に設けたことを特徴とする請求項１乃至６に記載の制御局装置。
【請求項８】
複数の基地局装置とこれらに接続された制御局装置とを備え、前記基地局装置の通信エリア間を移動する移動体に、前記制御局装置に保持された配信情報を、所定の大きさの情報ブロックに分割し、前記基地局装置を経由して配信する無線通信システムにおける当該制御局装置で動作する制御局用コンピュータプログラムであって、
前記制御局装置は、
前記配信情報を蓄積する配信情報蓄積手段と、
前記移動体が前記基地局装置の通信エリア内を所定の速度で移動する間に、前記基地局装置が当該移動体に配信できる初期情報ブロック数Ｎ１を算出して保持する初期ブロック数保持手段と、
配信する情報ブロック数の変分値ｎを保持する変分値保持手段と、
基地局装置が配信する最小の情報ブロック数Ｎｍｉｎを保持する最小ブロック数保持手段とを有し、
前記制御局用コンピュータプログラムは、
前記配信情報蓄積手段に蓄積されている情報ブロックを、前記初期ブロック数保持手段に保持されている前記初期情報ブロック数Ｎ１づつ、前記移動体の進行方向にある各基地局装置に、前記移動体への配信用情報ブロックとして割り当てる第１のブロック割り当てステップと、
前記初期情報ブロック数Ｎ１から前記変分値保持手段に保持されている変分値ｎを減じて得られる情報ブロック数を更新情報ブロック数Ｎ２として（ただし、（Ｎ１−ｎ）＜Ｎｍｉｎの場合は、Ｎ２＝Ｎｍｉｎとして）更新ブロック数保持手段に保持する更新ブロック数保持ステップと、
既に基地局装置に割り当てられた前記配信用情報ブロックから、各基地局装置から前記移動体への配信順序が前記更新ブロック数Ｎ２番目以内にない情報ブロックを再送情報ブロックとして抽出し、前記更新ブロック数Ｎ２未満の前記配信用情報ブロックが割り当てられている基地局装置と、前記配信用情報ブロックが未割り当てであり移動体の進行方向前方にある基地局装置に、情報ブロック数が前記更新ブロック数Ｎ２以下になるように前記再送情報ブロックを配信用情報ブロックとして割り当てる第２のブロック割り当てステップと、
前記第２のブロック割り当てステップにおける更新ブロック数Ｎ２が前記最小の情報ブロック数Ｎｍｉｎを超えている場合には、前記更新ブロック数保持手段に保持されている更新情報ブロック数Ｎ２から、前記変分値ｎを減じて求めた情報ブロック数を新たな更新情報ブロック数Ｎ２として（ただし、（Ｎ２−ｎ）＜Ｎｍｉｎの場合は、Ｎ２＝Ｎｍｉｎとして）、前記更新ブロック数保持手段を更新し、前記第２のブロック割り当てステップの処理を、前記更新情報ブロック数Ｎ２が前記最小の情報ブロック数Ｎｍｉｎ以下になるまで繰り返す制御ステップと、
前記基地局装置に割り当てられた情報ブロックを当該各基地局装置に配信することを指示するステップと、
を前記制御局装置に実行させることを特徴とする制御局用コンピュータプログラム。
【請求項９】
複数の基地局装置とこれらに接続された制御局装置とを備え、前記基地局装置の通信エリア間を移動する移動体に、前記制御局装置に保持された配信情報を、所定の大きさの情報ブロックに分割し、前記基地局装置を経由して配信する無線通信システムにおける当該制御局装置でで動作する制御局用コンピュータプログラムであって、
前記制御局装置は、
前記配信情報を蓄積する配信情報蓄積手段と、
前記移動体が前記基地局装置の通信エリア内を所定の速度で移動する間に、前記基地局装置が当該移動体に配信できる初期情報ブロック数Ｎ１を算出して保持する初期ブロック数保持手段と、
配信する情報ブロック数の変分値ｎを保持する変分値保持手段と、
基地局装置が配信する最小の情報ブロック数Ｎｍｉｎを保持する最小ブロック数保持手段とを有し、
前記制御局用コンピュータプログラムは、
前記配信情報蓄積手段に蓄積されている情報ブロックを、前記初期ブロック数保持手段に保持されている前記初期情報ブロック数Ｎ１づつ、前記移動体の進行方向にある各基地局装置に、前記移動体への配信用情報ブロックとして割り当てる第1のブロック割り当てステップと、
前記初期情報ブロック数Ｎ１から前記変分値保持手段に保持されている変分値ｎを減じて得られる情報ブロック数を更新情報ブロック数Ｎ２として（ただし、（Ｎ１−ｎ）＜Ｎｍｉｎの場合は、Ｎ２＝Ｎｍｉｎとして）更新ブロック数保持手段に保持する更新ブロック数保持ステップと、
既に基地局装置に割り当てられた前記配信用情報ブロックから、各基地局装置から前記移動体への配信順序が前記更新ブロック数Ｎ２番目以内にない情報ブロックを再送情報ブロックとして抽出し、前記配信用情報ブロックが未割り当てであり移動体の進行方向前方にある基地局装置に、情報ブロック数が前記更新ブロック数Ｎ２以下になるように前記再送情報ブロックを配信用情報ブロックとして割り当てる第２のブロック割り当てステップと、
前記第２のブロック割り当てステップにおける更新ブロック数Ｎ２が前記最小の情報ブロック数Ｎｍｉｎを超えている場合には、前記更新ブロック数保持手段に保持されている更新情報ブロック数Ｎ２から、前記変分値ｎを減じて求めた情報ブロック数を新たな更新情報ブロック数Ｎ２として（ただし、（Ｎ２−ｎ）＜Ｎｍｉｎの場合は、Ｎ２＝Ｎｍｉｎとして）、前記更新ブロック数保持手段を更新し、前記第２のブロック割り当てステップによる処理を、前記更新情報ブロック数Ｎ２が前記最小の情報ブロック数Ｎｍｉｎ以下になるまで繰り返す制御ステップと、
前記基地局装置に割り当てられた情報ブロックを当該各基地局装置に配信することを指示するステップと、
を前記制御局装置に実行させることを特徴とする制御局用コンピュータプログラム。
【発明の詳細な説明】
【技術分野】
【０００１】
本発明は、無線通信システムにおける複数の基地局の通信エリア間を移動する移動体に情報配信を行う技術に関する。
【背景技術】
【０００２】
携帯電話機や携帯端末等の移動体に対して情報配信を行うことは従来から行われている。携帯電話等の通信システムは複数の基地局が満遍なく広く通信エリアをカバーする形態である。しかし、今後通信速度が高速化するにつれ、１つの基地局がカバーするエリアが狭くなり、複数の基地局が連続的にではなくスポット的にエリア（以下、通信スポットと呼ぶ）をカバーする通信システムが多く採用されることが考えられる。
【０００３】
そのような通信システムを用いて、例えば高速道路を走行する自動車に対して情報配信を行う場合、１つの通信スポットでは全ての情報を配信しきれないことから、次のような方法を用いることが考えられる（特許文献１、２参照）。
【０００４】
（１）各通信スポットで受信した情報から、不足分の情報を次に入った通信スポットで要求する、（２）情報要求時の速度に基づき、その速度で通信スポットを移動する際に受信可能な時間よりも短時間に伝送できる大きさに情報を分割し、分割した情報を各基地局に配置する、等である。
【０００５】
また、情報配信に関連する技術として非特許文献１、２に記載された技術がある。
【特許文献１】特開２０００−２５３４４９号公報
【特許文献２】特開２０００−３３１２８５号公報
【非特許文献１】熊谷和則、巳波弘佳、能上慎也、「スポット型通信を用いた高速移動体へのデータ送信方法の提案と評価」、信学技法、ＩＴＳ２００２−２（２００２−５）
【非特許文献２】Hiroshi Yoshioka, Masashi Nakatsugawa, Shuji Kubota, "An Effective Data Transmission Control Method for Mobile Terminals in Spot Communication Systems", IEICE Trans. Fundamentals, Vol.E83-A, No.7, July 2000
【発明の開示】
【発明が解決しようとする課題】
【０００６】
しかしながら、（１）の方法では情報を配信するサーバとの制御情報の交換が多く煩雑になり、間欠的に配置される通信スポットを高速に通過する移動体への情報配信が十分に行えない恐れがある。
【０００７】
さらに、（１）の方法では、移動体の情報ブロック受信能力（即ち、一定時間に受信できる情報量の多少）が異なる場合、受信能力が低い移動体では、全情報ブロックを受信できない恐れも生ずる。
【０００８】
また、（２）の方法では、移動体の速度は常に一定であるわけではないので、情報配置のための想定した速度より速度が速くなった場合に追随できないという問題がある。その対策として、各通信スポット毎に移動体の速度を送信し、サーバはその速度に基づいて分割、配信することも考えられるが、（１）と同様に制御が複雑になってしまう。また、非常に速い速度で移動する移動体や情報ブロック受信能力が低い移動体にも対応できる量の情報を基地局に配置しておくことも考えられる。しかし、この場合、１基地局で配信できる情報量を少なくするため、同じ量のコンテンツ配信に必要な基地局数が多くなり、情報を受信する移動体が設定速度より遅い速度で移動している場合やより高い受信能力を有する移動体の場合であっても、１つの基地局エリアを通過している間に、まだ情報を受信できるにもかかわらず、基地局には配信できるデータが用意されていないため、設定速度や受信能力から求まる基地局を通過するまでの全情報を受信できないことになる。即ち、より低速、あるいは高受信能力の移動体においては、全情報を受信するのに時間がかかってしまうという問題がある。
【０００９】
本発明は上記の点に鑑みてなされたものであり、スポット的にエリアをカバーする無線通信システムにおいて、移動体と基地局／制御局間で複雑な制御をすることなく移動体の移動速度に応じて効率良く移動体に対して情報配信することを可能とする技術を提供することを目的とする。
【課題を解決するための手段】
【００１０】
本発明の課題は、複数の基地局装置とこれらに接続された制御局装置とを備え、前記基地局装置の通信エリア間を移動する移動体に、前記制御局装置に保持された配信情報を、所定の大きさの情報ブロックに分割し、前記基地局装置を経由して配信する無線通信システムにおける当該制御局装置であって、前記配信情報を蓄積する配信情報蓄積手段と、前記移動体が前記基地局装置の通信エリア内を所定の速度で移動する間に、前記基地局装置が当該移動体に配信できる初期情報ブロック数Ｎ１を算出して保持する初期ブロック数保持手段と、配信する情報ブロック数の変分値ｎを保持する変分値保持手段と、基地局装置が配信する最小の情報ブロック数Ｎｍｉｎを保持する最小ブロック数保持手段と、前記配信情報蓄積手段に蓄積されている情報ブロックを、前記初期ブロック数保持手段に保持されている前記初期情報ブロック数Ｎ１づつ、前記移動体の進行方向にある各基地局装置に、前記移動体への配信用情報ブロックとして割り当てる第1のブロック割り当て手段と、前記初期情報ブロック数Ｎ１から前記変分値保持手段に保持されている変分値ｎを減じて得られる情報ブロック数を更新情報ブロック数Ｎ２として（ただし、（Ｎ１−ｎ）＜Ｎｍｉｎの場合は、Ｎ２＝Ｎｍｉｎとして）保持する更新ブロック数保持手段と、既に基地局装置に割り当てられた前記配信用情報ブロックから、各基地局装置から前記移動体への配信順序が前記更新ブロック数Ｎ２番目以内にない情報ブロックを再送情報ブロックとして抽出し、前記更新ブロック数Ｎ２未満の前記配信用情報ブロックが割り当てられている基地局装置と、前記配信用情報ブロックが未割り当てであり移動体の進行方向前方にある基地局装置に、情報ブロック数が前記更新ブロック数Ｎ２以下になるように前記再送情報ブロックを配信用情報ブロックとして割り当てる第２のブロック割り当て手段と、前記第２のブロック割り当て手段の更新ブロック数Ｎ２が前記最小の情報ブロック数Ｎｍｉｎを越えている場合には、前記更新ブロック数保持手段に保持されている更新情報ブロック数Ｎ２から、前記変分値ｎを減じて求めた情報ブロック数を新たな更新情報ブロック数Ｎ２として（ただし、（Ｎ２−ｎ）＜Ｎｍｉｎの場合は、Ｎ２＝Ｎｍｉｎとして）、前記更新ブロック数保持手段を更新し、前記第２のブロック割り当て手段による処理を、前記更新情報ブロック数Ｎ２が前記最小の情報ブロック数Ｎｍｉｎ以下になるまで繰り返す制御手段と、前記基地局装置に割り当てられた情報ブロックを当該各基地局装置に配信する手段と、を備えた制御局装置により解決できる。
【００１１】
本発明によれば、移動体の速度、情報受信能力では受信しきれないと予測される情報ブロックを、進行方向のより前方の基地局に重複し、かつ、一つの基地局から配信する情報ブロック数を順次減少させて配備する処理を繰り返し行うこととしたため、移動体が初期予想速度と想定最大速度の間のどの速度で移動したとしても、或いは、移動体の情報受信能力として初期予想能力と、想定する最低の情報受信能力の間のどの受信能力であったとしても、移動体の移動速度や情報受信能力に応じて全情報ブロックを効率良く受信できる。
【００１２】
例えば、移動体の速度変化に対しては、「所定の速度」として想定する最低速度として初期情報ブロック数Ｎ１を求め、「最小の情報ブロック数Ｎｍｉｎ」を移動体の想定する最高速度に基づき求め、「変分値ｎ」を該最低速度と最高速度の間隔をいくつかに分割して求まる速度に応じた値として設定すればよい。
【００１３】
なお、上記では、更新情報ブロック数に満たない情報ブロックが割り当てられている基地局に、情報ブロックを追加して割り当てるようにしているが、更新情報ブロック数Ｎ２を求めた後に、情報ブロックを割り当てる際に、情報ブロックの割り当てを行っていないより進行方向前方の基地局から割り当てをしてもよい。これにより、割り当て基地局の管理が簡易となり、さらに基地局基地局に割り当てが行われたら直ちに情報配信できる。
【００１４】
また、初期情報ブロック数Ｎ１を、基地局が配置された道路の交通状況（渋滞の程度など）によって決定することができる。
【００１５】
また、最小の情報ブロック数Ｎｍｉｎを、基地局が設置されている道路の法定最高速度を考慮して決定することができる。
【００１６】
また、上記の課題は、本発明の制御局装置の各処理手段における各処理ステップをコンピュータに実行させるコンピュータプログラムによっても解決できる。
【発明の効果】
【００１７】
本発明によれば、移動体と制御局間で複雑なシーケンスを要することなく、冗長度を低くした効率良い情報配信を行うことができる。また、初期予想速度と想定最大速度の間で実際の移動体の速度が変動した場合でも移動体の移動速度に応じて全情報ブロックを効率良く配信することが可能となる。すなわち、移動体が初期予想速度より速く移動することに対しては情報をもれなくしかも重複なく受信できるという効果があり、想定最大速度より遅く移動することに対しては、想定最大速度の場合に情報を受信するために通過しなければならない基地局の数より少ない基地局を通過して情報を受信できるという効果がある。
【００１８】
さらに、本発明によれば、情報受信能力に差異がある移動体が混在している場合でも、受信能力に応じた基地局数を通過することによって全情報ブロックを受信できる。
【００１９】
また、個別の移動体からの要求により配信する場合だけではなく、所定の複数基地局からニュース、交通情報、映像、等々のコンテンツを放送する場合にも、種々の速度、通信能力を持つ移動体に対して夫々の状態に応じて所要の複数基地局から情報を配信することができる。
【００２０】
また、最小の情報ブロック数を、基地局が設置される道路の法定最高速度に対応させて設定することにより、情報を受信しようとする移動体は該法定速度を遵守することになり、交通法規遵守促進にも役立てることができる。
【発明を実施するための最良の形態】
【００２１】
以下、図面を参照して本発明の実施の形態について説明する。
【００２２】
図１は本発明の実施の形態におけるシステム構成を示す図である。本発明の実施の形態におけるシステムは、道路上に配置された複数の基地局と制御局４とがネットワーク５で接続された構成をとり、制御局４から送信された情報が各基地局を介して道路を走行する自動車等に搭載された端末に配信される。また、制御局４は、配信用コンテンツ提供装置７、道路渋滞等の交通状況に関する情報を提供する交通状況情報提供装置８等とネットワーク６を介して接続されている。なお、本明細書では移動しながら情報の送受信をする端末等の装置を移動体と称することにする。
【００２３】
図１に示すシステムにおける無線通信方式は、各基地局がスポット的にエリアをカバーする狭セルを形成するものであり、例えばＤＳＲＣ(Dedicated Short Range Communications)に準拠した通信方式や無線ＬＡＮの規格に準拠した通信方式である。従って、本実施の形態における各基地局は当該無線通信方式に従って移動体と無線通信するための機能を備えている。また、各基地局は、道路上に間欠的に配置され、各通信スポットの通信エリアは重ならない。
【００２４】
図２に基地局の構成例を示す。図２に示すように、基地局は移動体と通信するための電波を送受信するためのアンテナ１０、ＤＳＲＣ等に準拠した通信を実現するための送受信部１１、制御局から受信した移動体に送信するデータや、データの送受信、移動体や制御局との通信等の制御に必要なデータ等を記憶しておくための記憶部１２、送受信部１１や記憶部１２等の制御を行う制御部１３、及び制御局４とデータ送受信する等を行うインタフェース制御部１４を有している。
【００２５】
制御局４は移動体あるいは情報配信装置等からの要求に応じて、送信対象情報を取得し、分割して各基地局に配置する処理を行うためのプログラムを搭載した、通信機能を有するコンピュータである。すなわち、制御局４は、ＣＰＵ、メモリ、ハードディスク等の記憶装置を有し、本発明に係る処理を行うプログラムをメモリから読み出してＣＰＵにより実行する。
【００２６】
図３に制御局の機能ブロックの一例を示す。制御局４は、基地局を経由して移動体に配信するための配信情報を蓄積する配信情報蓄積部４−１、各基地局に情報割り当てするための各種制御情報を記憶する制御情報保持部４−２、制御情報保持部４−２に保持されている情報や移動体の位置情報などに基づく夫々の基地局に配信する情報ブロックの割り当てや、配信する情報の準備などの制御を行う制御部４−３、各基地局と制御情報、配信情報等を授受する基地局インタフェース部４−４、制御局４に無い配信情報の取得、基地局が配置されている道路渋滞情報の取得など外部との情報授受を行う外部ネットワークインタフェース部４−５を有している。
【００２７】
制御情報保持部４−２には、初期ブロック数Ｎ１、変分値ｎ、最小ブロック数Ｎｍｉｎ、更新ブロック数Ｎ２等を制御配下の道路、要求端末種類、配信情報の情報ブロックサイズなど情報配信制御に影響するパターンに応じて記憶している。更新ブロック数Ｎ２は、各基地局への配信情報割り当て処理に応じて更新される。また、初期ブロック数Ｎ１や変分値ｎ、最小ブロック数Ｎｍｉｎは、制御局内に保持されている、あるいは外部ＮＷインターフェース部４−５を介して取得される対象基地局が配置されている道路の渋滞情報、道路に設定されている法定速度、対象とする移動体機器の通信能力、基地局の通信能力（通信速度、通信エリアサイズなど）、配信対象コンテンツの構成などにより、予め設定された条件で決定される。
【００２８】
制御部４−３は、移動体からの情報配信要求を基地局を経由するなどして受け、制御情報保持部４−２から初期ブロック数Ｎ１を読出し、移動体の位置に応じて、移動体の進行方向前方にある基地局を特定して、特定された各基地局にＮ１ずつの情報ブロックを割り当てる第１ブロック割り当て部４−３１、次に、該初期ブロック数Ｎ１と次に制御情報保持部４−２から読み出した変分値ｎとから、更新ブロック数Ｎ２を求めて、制御情報保持部４−２で該読み出された初期ブロック数と対応する更新ブロック数保持部４−２４に記録すると共に、既に基地局に割り当てられた情報ブロックの内、移動体に送信する順序がＮ２番目までとなっていない情報ブロックを再配送情報ブロックとして抽出し、移動体進行方向前方の基地局にＮ２ずつの情報ブロックを割り当てる第２ブロック割り当て部４−３２、この第２ブロック割り当て部４−３２の処理をＮ２がＮｍｉｎ以下となるまで繰り返すよう制御するブロック割り当て制御部４−３３を含む。
【００２９】
基地局インタフェース部４−４では、各基地局と移動体からの情報配信要求の受信、移動体に配信する情報を基地局に送出するなど、基地局との通信処理を行う。
【００３０】
外部ネットワークインタフェース部４−５では、移動体に配信する情報を保管しているサイトや基地局が設置されている道路の交通状況（平均速度など）管理サイト、制御局から移動体への提供情報（コンテンツタイトル、利用条件）広報サイトなどから、必要な情報を授受するための外部ネットワークとの通信処理を行う。
【００３１】
なお、送信対象情報は、地図データ、静止画、映像、音楽等のコンテンツ、メール、プログラム等である。また、自動車に搭載される移動体は例えば携帯電話機、携帯端末、ＰＣ等であり、本システムにおける無線通信方式に適合した情報の送受信を行う機能、及び、受信した情報を記憶し、所定の順序に組み合わせて表示／実行する機能を有している。
【００３２】
次に、図４のシーケンス図を用いて図１に示すシステムの動作の概要について説明する。以下では、移動体からの要求に基づき情報配信する場合を例に説明するが、所定の複数基地局から所定の情報をその区域を移動している移動体装置に放送する場合にも本発明を容易に適用できる。
【００３３】
まず、移動体が制御局に対して情報配信要求を行う（ステップ１）。制御局は要求された情報を、移動体の所定の想定速度に応じて分割し、所定のルールに従い分割された情報ブロックを移動体の進行方向に位置する複数の基地局に割り当て（ステップ２）、当該情報ブロックを基地局に送信する（ステップ３）。移動体は情報配信要求の後、基地局の通信エリアに入る度に情報の要求を当該基地局に対して行う（ステップ４）。要求を受けた基地局は、当該移動体に対応して保持している情報ブロックを移動体に対して送信する（ステップ５）。移動体は配信されるべき情報を全部受信したか否かを判定し、全部受信した場合には受信した情報ブロックを結合して元の情報を構築する（ステップ６）。本実施の形態では、上記のステップ２において、移動体の速度を仮定して分割した情報を基地局に割り当て、その速度以上で走行した場合に受信しきれない情報と同じ情報のみを、前方の基地局に再割り当てをする。これにより、効率的な情報配信を可能としている。
【００３４】
次に、図５のフローチャートを参照して一連の処理をより詳細に説明する。なお、以下の例では送信対象となる情報をコンテンツと称している。
【００３５】
まず、移動体は、制御局に対し、移動体を一意に特定するための移動体ＩＤ、位置情報、移動方向、速度と、コンテンツの識別情報とを含むコンテンツ情報要求を送信する（ステップ１１）。なお、速度は必ずしも含める必要はない。また、対象とする道路において移動方向が１つのみである場合には移動方向も含める必要はない。位置情報は、例えば現時点もしくは最近の時点で移動体をカバーした基地局のＩＤとして送信することもできるし、ＧＰＳ機能を備えた移動体であればＧＰＳ情報として送信することもできる。また、移動方向、速度は、例えば、基地局のエリア間を移動する時間等から移動体自身が計算して送ることもできる。
【００３６】
制御局は、移動体から受信したコンテンツ情報要求に含まれる識別情報に基づき、要求されたコンテンツをデータベース等から取得する。なお、データベースは当該制御局が保持するデータベースでもよいし、インターネット等に接続されたサーバのデータベースでもよい。そして、要求されたコンテンツを、所定のブロックサイズに分割し、配信情報群を生成する（ステップ１２）。
【００３７】
このブロックサイズは、道路を走行する自動車の最大の速度を想定（想定最大速度）し、その想定最大速度において当該通信システムにおける１つの基地局が移動体にちょうど配信しきれる情報量と定義することとする。この情報量は、上記の想定最大速度と、その通信システムにおける１つの基地局の通信可能範囲の大きさと、移動体に情報を送信する通信速度とから定まる。従って、上記最大の速度が同一であれば、ブロックサイズは通信システムの仕様（基地局の通信可能範囲の大きさと通信速度）に依って定まるものである。さらに、移動体側のデータ受信能力を考慮してブロックサイズを決定してもよい。
【００３８】
また、制御局は、コンテンツを分割して生成した配信情報群の各情報ブロックに、各情報ブロックを識別するＩＤを付与する。なお、移動体が全部の情報を受信したか否かを判断できるようにするために、配信情報群の最初の情報ブロックには、配信情報群の全情報ブロック数の情報を含める。なお、全情報ブロック数の情報は最初の情報ブロックでなく、任意の情報ブロックに含めることができる。
【００３９】
次に、制御局は移動体の予想速度の初期値（初期予想速度）を設定する（ステップ１３）。予想速度の初期値としては、道路毎に決められる固定値、又は、移動体からの情報要求時の移動速度、又は、情報要求時の移動速度と道路毎に決められる固定値の遅い方の速度等を用いることができる。また、これらの速度より遅くなり得る要因（渋滞など）があれば、予想速度の初期値としてこれらの速度より遅い速度を設定する。なお、道路毎に決められる固定値は、例えば統計値から定められる値であり、制御局が道路毎に保有していてもよいし、ネットワーク経由で他のデータベース等から取得してもよい。
【００４０】
そして、制御局は、配信情報群の先頭から、上記の予想速度で移動体が移動したとした場合に当該移動体が１つの基地局から受信可能な情報ブロック数毎に情報ブロックを取り出し、移動体ＩＤと共に当該情報ブロック数毎に、移動体の進行方向に並ぶ各基地局へ配置する（ステップ１４）。ただし、情報ブロック数毎に情報ブロックを取り出す際に、残りの情報ブロック数が上記の情報ブロック数に満たない場合は、すべての残りの情報ブロックを基地局に配置する。移動体ＩＤを共に配置するのは、各基地局において保有する情報ブロックが、どの移動体に対応するかを判別するためのものである。
【００４１】
なお、ここでいう「配置」は、制御局内で論理的に基地局に情報ブロックを割り当て、割り当てた情報ブロックを実際に基地局に送信することまでを示すものである。基地局は制御局から受信した情報ブロックと移動体ＩＤとを一時的に蓄積する。
【００４２】
上記予想速度で移動体が移動したとした場合に１つの基地局から当該移動体が受信可能な情報ブロック数は、１情報ブロックの情報量、基地局の通信可能範囲の大きさ、通信速度、及び移動体の予想速度により求めることができる。
【００４３】
制御局は、ステップ１４の処理に続いて、前記の想定最大速度と、予め設定した繰り返し回数から、次の式を用いて新たな予想速度を求める（ステップ１５）。なお、次の式での旧予想速度とは１つ前の予想速度である。
【００４４】
予想速度＝旧予想速度＋（想定最大速度−初期予想速度）／繰り返し回数
繰り返しの中で、制御局は、予想速度が想定最大速度を超えた場合（ステップ１６のＹＥＳ）には配置処理を終了する。
【００４５】
予想速度が想定最大速度を超えていない場合（ステップ１６のＮＯ）、制御局は、これまでに行った各基地局への情報ブロックの配置状態を前提に、移動体が上記の式で算出した新たな予想速度で走行したと仮定した場合に、各基地局において移動体が受信できない情報ブロックと同じ情報ブロックを抽出し、それを新たな配信情報群とする（ステップ１７）。そして、その情報ブロックを配置する（ステップ１８）。なお、受信できない情報ブロック数は、前の予想速度で受信可能な情報ブロック数から新たな予想速度で受信可能な情報ブロック数を減じることにより求めることができる。
【００４６】
制御局は、ステップ１５〜ステップ１８の処理を繰り返す。なお、ステップ１４においては、新たな配信情報群における各情報ブロックを、新たな予想速度に対応する１つの基地局あたりの情報ブロック数に満たない基地局に、当該情報ブロック数になるように、既に当該情報ブロック数以上の情報ブロックが配置されている基地局より前方の各基地局に配置していく。
【００４７】
なお、制御局内で論理的に基地局に情報ブロックを割り当てるだけの処理を上記ステップ１４、ステップ１５〜ステップ１８の繰り返しにおいて行ってもよい。この場合には、全ての割り当てが終了した後（ステップ１６のチェックがＹｅｓになった後）に、その割り当てに従って情報ブロックを各基地局に送信することになる。
【００４８】
なお、上記の各基地局への情報の配置は、移動体が、情報ブロックを保持する最初の基地局の通信可能範囲に入る前に完了させるようにする。すなわち、移動体の情報要求時の位置、移動体の速度もしくは初期予想速度、及び、制御局が情報要求を受信してから各基地局への情報ブロックの送信が終わるまでの時間を用い、情報要求時の位置から（（移動体の速度）×（情報ブロックの送信が終わるまでの時間））だけ離れた基地局に最初の情報ブロックを配置すればよい。
【００４９】
移動体は、自分がコンテンツ情報要求を送信した後、基地局の通信可能範囲に入ったら自分の移動体ＩＤを含む情報要求を基地局へ送信する（ステップ１９）。なお、移動体が基地局の通信可能範囲に入ったか否かは、例えば、基地局が定期的に所定の情報を送信するようにし、移動体自身がその情報を受信できるか否かで判断する。
【００５０】
基地局は、移動体から受信した移動体ＩＤに対応する情報ブロックを蓄積している場合は、移動体に配信し、蓄積している情報ブロックを解放する。移動体はその情報ブロックを受信する（ステップ２０）。
【００５１】
移動体は、基地局から受信した情報ブロックに含まれる情報ブロックを識別するＩＤと最初の情報ブロックに含まれる全情報ブロック数とから、すべての情報ブロックを受信し終わったかどうか判定する（ステップ２１）。全ての情報ブロックを受信し終わっていなければステップ１９、２０の処理を繰り返し、全ての情報ブロックを受信し終わったら、情報ブロックに含まれる情報ブロックを識別するＩＤを元にオリジナルのコンテンツを再構築し、受信処理を終了する。
【００５２】
なお、受信機が故障した、移動体が全く別の道路に行ってしまったなどの理由により、情報が配置された基地局に該当する移動体が来ない、もしくは該当する移動体が情報要求を行わないことも想定されるため、基地局に配置する情報に有効期間を設定し、有効期間を過ぎた情報は削除するようにしてもよい。これにより、基地局のリソースが溢れないようにすることができる。
【００５３】
また、移動体が、受信処理が完了したことを制御局に通知し、その後、制御局が基地局に配置した情報ブロックを消去するように構成してもよい。なお、移動体が、情報配信する最後の基地局を通過したことを基地局側で検知し、その後、基地局に配置した情報ブロックを消去するよう構成してもよい。
【００５４】
次に、基地局への情報ブロックの配置について図６を用いてより具体例に説明する。
【００５５】
まず、前提として、予想速度の初期値：ｖ０（Ｋｍ／ｈ）、繰り返し回数：３回、想定最大速度：ｖ３（Ｋｍ／ｈ）とし、これらから上記のステップ１５における式により求められる、各繰り返しの時の予想速度を、初期：ｖ０（Ｋｍ／ｈ）、１回目：ｖ１（Ｋｍ／ｈ）、２回目：ｖ２（Ｋｍ／ｈ）、３回目：ｖ３（Ｋｍ／ｈ）とする。また、基地局において各速度ｖで移動体が受信可能な配信情報ブロック数ｆ（ｖ）を、ｆ（ｖ０）＝４個、ｆ（ｖ１）＝３個、ｆ（ｖ２）＝２個、ｆ（ｖ３）＝１個とする。
【００５６】
また、移動体がブロックサイズの１６倍の大きさのコンテンツを要求したものとし、移動体の移動先にある基地局であって情報ブロックが配置されることになる基地局に、移動体の進行方向に向けて基地局１、基地局２（ＢＳ２）、…と順番にＩＤが割り当てられている。なお、図６では基地局のことをＢＳと記載している。
【００５７】
移動体から要求を受けた制御局は、取得したコンテンツを１６個の情報ブロックに分割し、各情報ブロックのＩＤを１〜１６とする。すなわち、配信情報群は、１，２，３，４，５，６，７，８，９，１０，１１，１２，１３，１４，１５，１６となる。制御局は各ＩＤと情報ブロックとを対応付けてメモリ等に保持しておく。
【００５８】
次に、初期速度ｖ０に基づき、各基地局へ情報ブロックを配置する。速度ｖ０における各基地局での配信可能情報ブロック数ｆ（ｖ０）＝４であることから、図６の（１）に示すように配信情報群の先頭から４個ずつ情報ブロックを各基地局に配置する。より具体的には、制御局が、基地局ＩＤとその基地局に割り当てられる情報ブロックＩＤとを対応づけてメモリに保持し、そのメモリの内容を読み出して、読み出した基地局ＩＤの基地局宛に、読み出した情報ブロックＩＤに対応する実際の情報ブロックを取り出して送信する。すなわち、図６は実際に基地局に保持される情報ブロックを示すとともに、制御局における上記メモリの内容を示すと考えることができる。この具体的な処理内容は以下の処理でも同様である。
【００５９】
次に、次の予想速度ｖ１とした場合に基地局１〜４において受信できないこととなる情報ブロックと同じ情報ブロックを１６個の情報ブロックの中から抽出する。速度ｖ１における基地局での配信可能情報ブロック数ｆ（ｖ１）＝３であることから、図６の（１）に示した配置において受信できない情報ブロックは、（２）において下線で示したように、基地局１は４、基地局２は８、基地局３は１２、基地局４は１６となるので、新たな配信情報群（再送情報ブロック）は４，８，１２，１６となる。
【００６０】
そして、抽出した新たな配信情報群を、基地局５から、速度ｖ１で走行した場合に受信可能な情報ブロック数ずつ配置する。すなわち、図６の（２）に示すように、既に基地局４まで配置済みなので、基地局５から３個ずつ配置する。ただし、この場合は全部で４個なので、基地局６には１つだけ情報ブロックを配置することになる。従って、既に配置済みの情報を括弧（）内に示すと、情報は基地局１：（１，２，３，４）、基地局２：（５，６，７，８）、基地局３：（９，１０，１１，１２）、基地局４：（１３，１４，１５，１６）、基地局５：４，８，１２、基地局６：１６のように配置される。
【００６１】
続いて、次の予想速度ｖ２とした場合に受信できないこととなる情報ブロックを抽出する。速度ｖ２における基地局での配信可能情報ブロック数ｆ（ｖ２）＝２であることから、図６の（２）に示した配置において、受信できない情報は、図６の（３）において下線を引いた数字、すなわち、基地局１は３，４、基地局２は７，８、基地局３は１１，１２、基地局４は１５，１６、基地局５は１２となる。ただし、基地局１で受信できない４，基地局２で受信できない８、基地局４で受信できない１６については、それぞれ基地局５と６で受信できるため、最終的に受信できなかった情報は、３，７，１１，１２，１５となり、これらが新たな配信情報群（再送情報ブロック）となる。
【００６２】
抽出した新たな配信情報群を、図６の（３）に示すように配置する。すなわち、最後の基地局６では情報ブロックを１個しか配置していないので、基地局６には１つ、それ以降の基地局には２個ずつの情報ブロックを配置する。
【００６３】
続いて、次の予想速度ｖ３とした場合に受信できないこととなる情報ブロックを抽出する。速度ｖ３における基地局での配信可能情報ブロック数はｆ（ｖ３）＝１であることから、図６の（３）において受信できない情報は、図６の（４）において下線を引いた数字、すなわち、基地局１は２，３，４、基地局２は６，７，８、基地局３は１０，１１，１２、基地局４は１４，１５，１６、基地局５は８，１２、基地局６は３、基地局７は１１、基地局８は１５となる。ただし、基地局１で受信できない４，基地局４で受信できない１６、基地局２で受信できない７、基地局３で受信できない１２については、それぞれ基地局５，６，７，８で受信できるため、最終的に受信できない情報は、２，３，６，８，１０，１１，１４，１５となり、これらが新たな配信情報群（再送情報ブロック）となる。そして、抽出した新たな配信情報群を、図６の（４）に示すように配置する。すなわち、基地局９から１個ずつの情報を配置する。
【００６４】
上記の例では、各速度で１つの基地局において移動体が受信可能な配信情報ブロック数が、１ずつ減少している。すなわち、このように１ずつ減少するように繰り返し回数を設定することにより、実際の自動車の速度が、初期予想速度から想定最大速度の間のどの速度をとったとしても、移動体は各基地局から重複なく最大数の情報ブロックを受信できる。ただし、受信は情報ブロック単位で行うものとする。
【００６５】
なお、例えば、上記の例において、繰り返し回数が１回であれば、最初に４つずつ情報ブロックを基地局に配置した後、次の配置処理においては、１つの基地局において移動体が受信可能な配信情報ブロック数は１となるので、基地局１〜４における最後の３つの情報ブロックの合計１２個を基地局５〜１６に配置することになる。この場合、移動体が想定最大速度で走行した場合には繰り返し回数が３回の場合と相違ないが、移動体が最大想定速度より低速である場合には、繰り返し回数が３回の場合と比較して全情報を受信するまでの時間が長くなる。このことから、ブロックサイズが移動体の移動速度、速度幅に関して最適に設定されている場合には、１つの基地局において移動体が受信可能な配信情報ブロック数が、配置の繰り返し毎に１ずつ減少するように繰り返し回数を設定するのが好ましい。
【００６６】
なお、上記の例では、最初に繰り返し回数を設定し、その回数に応じて予想速度を順次増加させるようにしたが、初期予想速度からの速度増加幅を定め、予想速度が想定最大速度になるまで、初期予想速度からその速度増加幅毎に順次予想速度を増加させて情報ブロックの配置を行うようにしてもよい。
【００６７】
更に、１基地局が配信できるブロック数を減らす個数を設定し、１基地局が配信できるブロック数が１になるまで、初期予想速度において１基地局が配信できるブロック数から順次ブロック数を減少させて情報ブロックの配置を行うようにしてもよい。ここで、ブロック数を減少させる幅は必ずしも１でなくてもよい。
【００６８】
図７に４０個の情報ブロックについて、初期ブロック数Ｎ１＝１５、差分値ｎ＝４、最小ブロック数Ｎｍｉｎ＝６とした場合の各基地局への割り当て結果を示す。最初の基地局には、１から１５までの情報ブロックが割り当てられる。３番目の基地局には、３１から４０のブロックが割り当てられる。次に更新ブロック数Ｎ２１＝Ｎ１−ｎ＝１５−４＝１１を求め、各基地局（この例では、基地局１，２，３）で１１番目以内に配信されるように割り当てられていない情報ブロックである１２，１３，１４，１５及び２７，２８，２９，３０のブロックを、既に１０ブロック割り当てられている基地局３に1ブロック（基地局あたり１１ブロック送信する）、残りの７ブロックを基地局４に割り当てる。次に、既に情報ブロックが割り当てられている基地局１から基地局４について、Ｎ２２＝７番目以内に送信されるように割り当てられていない情報ブロックである８，９，１０，１１，１２，２３，２４，２５，２６，３８，３９，４０の各情報ブロックを基地局５及び６に割り当てる。次に、既に情報ブロックが割り当てられている基地局１から６について、Ｎ２３＝３番目以内に配信されるように割り当てられていない情報ブロックを抽出し、同様に基地局７から１４に割り当てる。
【００６９】
これにより、例えば、比較的低速で移動する移動体は、基地局１から３までを通過することにより全情報を受信できる。また、比較的中速で移動している移動体は、１から６までの基地局を通過することで全情報を受信できる。さらに高速で移動している移動体は、基地局１から６においては受信できない情報ブロックがあるものの、基地局７から１４において受信できなかった情報ブロックを受信できる。
【００７０】
上記は、移動体の速度の変化に対応させて説明したが、移動体の受信能力が異なる場合、移動体の受信能力及び速度の組合せが異なる場合についても同様に、Ｎ１，ｎ、Ｎｍｉｎを調整することにより適応させることができる。
【００７１】
このように、移動体の速度、受信能力に応じて、低速、高受信能力の移動体は少ない基地局の通過で、高速、低受信能力の移動体は基地局、移動体の通信能力に応じた基地局数を通過することによって夫々必要な情報を受信することができる。
【００７２】
図８は、更新ブロック数Ｎ２を求め基地局あたりのブロック数が１１以内となるように割り当てるときに、既に情報ブロックが割り当てられていない基地局に割り当てるようにした場合のブロック割り当てを示す図である。即ち、図７のケースでは、基地局３にブロック１２を割り当てたが、図８のケースでは、情報ブロックを追加して割り当て可能な基地局３には情報ブロックを追加して割り当てず、基地局４から割り当ての開始をする。
【００７３】
図７の場合には、より少ない基地局で情報配信可能になる特徴がある。一方、図８の場合には、割り当てを行った基地局に追加して情報ブロックの割り当てが発生しないので、制御を簡素化でき、また、割り当てが済んだ基地局については直ちに情報配信可能にできる特徴がある。
【００７４】
さて、１基地局が配信できるブロック数を１つづつ減らしながら配置を行う処理方法の例を次に説明する。この場合の制御局の処理を図９のフローチャートを用いて説明する。
【００７５】
まず、移動体から情報配信要求を受信した制御局が、コンテンツを複数の情報ブロックに分割する（ステップ１０１）。この分割の方法は上記の例と同様である。次に、所定の予想速度で移動すると仮定した移動体に１つの基地局から配信できる情報ブロック数Ｎを求め、Ｎ個毎に情報ブロックを各基地局に配置する（ステップ１０２）。なお、この場合に情報ブロックを配置する最後の基地局の情報ブロック数はＮ個未満でもよい。
【００７６】
次に、変数ｍ＝Ｎとする（ステップ１０３）。そして、ｍ個以上の情報ブロックが配置された各基地局の第ｍ番目の情報ブロックと同じ情報ブロックを抽出し、抽出した情報ブロックを、ｍ個の情報ブロックが配置された基地局より前方の基地局に、情報ブロック数が（ｍ−１）個となるように配置する。なお、最後の基地局の情報ブロック数は（ｍ−１）個未満でもよい（ステップ１０５）。
【００７７】
次に、ｍ＝ｍ−１とする（ステップ１０６）。ここでｍが１になっていれば（ステップ１０７のＹＥＳ）処理を終了する。ｍが１でなければ（ステップ１０７のＮＯ）ステップ１０４〜ステップ１０７の処理を繰り返す。
【００７８】
このような処理によっても図６に示したような情報の配置を行うことができる。
【００７９】
次に、初期予想速度と想定最大速度を定め、初期予想速度から所定速度幅づつ速度を増加させながらブロック配置を行う処理について説明する。図１０にこの場合の制御局の処理のフローチャートを示す。
【００８０】
まず、移動体から情報配信要求を受信した制御局が、コンテンツを複数の情報ブロックに分割する（ステップ２０１）。この分割の方法は上記の例と同様である。次に、予め定めた初期予想速度（Ｖ１）で移動すると仮定した移動体に１つの基地局から配信できる情報ブロック数Ｎ１を求め、Ｎ１個毎に情報ブロックを各基地局に配置する（ステップ２０２）。なお、この場合に情報ブロックを配置する最後の基地局の情報ブロック数はＮ１個未満でもよい。
【００８１】
次に、予め定めた速度幅（ｖ）を初期予想速度に加えた速度をＶ２とし（ステップ２０３）、Ｖ２で移動すると仮定した移動体に１つの基地局から配信できる情報ブロック数Ｎ２を求める（ステップ２０４）。そして、Ｖ２が想定最大速度以下でありなおかつ情報ブロック数Ｎ２が１以上である場合に、以下のブロック配置を行う（ステップ２０５のＹｅｓ）。
【００８２】
情報ブロックを割り当て済みの各基地局において（Ｎ２＋１）番目以降に配信される情報ブロックであって、且つ、Ｎ２番目以内に配信されていない情報ブロックを、Ｎ２未満の情報ブロックが割り当てられている基地局及びその前方の基地局に対して、情報ブロック数がＮ２個になるように配置する（ステップ２０６）。すなわち、例えば５という情報ブロックが前方基地局への配置対象の情報ブロックである場合に、当該５という情報ブロックがＮ２番目以下の情報ブロックとして既に配置されている前方の基地局に対しては、その情報ブロックを配置せず、その５という情報ブロックは、その基地局より後の基地局に配置する。また、例えば６という情報ブロックが、ある基地局と他の基地局で（Ｎ２＋１）番目以降の情報ブロックに含まれている場合には、１つの当該６の情報ブロックのみを前方の基地局に配置する。
【００８３】
なお、この場合に情報ブロックを配置する最後の基地局の情報ブロック数はＮ２個未満でもよい。
【００８４】
次に、Ｖ２に前記の速度幅（ｖ）を加えた速度を再びＶ２として（ステップ２０７）、上記の処理を繰り返す。
【００８５】
なお、上記の初期予想速度（Ｖ１）は、制御局が情報ブロックの割り当てを開始する時刻と、その時刻から所定時間遡った時刻との間の時間区間における、基地局の通信エリアを通過した移動体の平均速度を用いて決定することができる。例えば、その平均速度より所定の速度を減じた速度を初期予想速度（Ｖ１）とすることができる。更に、初期予想速度（Ｖ１）から順次増加させる予め定めた速度幅（ｖ）も、上記の平均速度から決定できる。例えば、平均速度が所定の速度より大きい場合には、速度幅（ｖ）を小さくすることができる。
【００８６】
なお、上記の処理において、速度をｖづつ増加させる代わりに、１基地局が配信できるブロック数を順次減少させ、ブロック数が１未満になる直前まで配置を繰り返すようにしてもよい。
【００８７】
本実施の形態では自動車等に搭載した移動体に情報を配信する例を取り上げたが、本発明において情報を配信する配信先となるものは、移動するものであれば自動車等に搭載した移動体に限るものではない。
【００８８】
また、本実施の形態では、ある移動体の要求に対してその移動体に対する特定の情報を配信する場合を例に取ったが、ブロードキャストのように不特定多数の移動体に対して同じ情報を配信する場合にも本発明の情報配信方法を適用することが可能である。この場合、例えば、所定の区間における各基地局にニュース映像等のブロードキャスト情報を本発明の配置方法に従って配置しておき、移動体はその区間に入ったときにブロードキャスト情報を受信する。
【００８９】
なお、本発明は、上記の実施例に限定されることなく、特許請求の範囲内において、種々変更・応用が可能である。
【図面の簡単な説明】
【００９０】
【図１】本発明の実施の形態におけるシステム構成を示す図である。
【図２】本発明の実施の形態における基地局の構成例を示す図である。
【図３】本発明の実施の形態における制御局の機能ブロック図である。
【図４】本発明の実施の形態におけるシステムの動作概要を説明するためのシーケンス図である。
【図５】本発明の実施の形態におけるシステムの動作を詳細に説明するためのフローチャートである。
【図６】基地局への情報ブロックの配置方法を具体的に説明するための図である。
【図７】４０個の情報ブロックの各基地局への割り当て結果の例を示す図である。
【図８】４０個の情報ブロックの各基地局への割り当て結果の他の例を示す図である。
【図９】制御局における基地局への情報ブロックの配置のための他の処理方法を示すフローチャートである。
【図１０】制御局における基地局への情報ブロックの配置のための更に他の処理方法を示すフローチャートである。
【符号の説明】
【００９１】
１〜３  基地局
４  制御局
４−１  配信情報蓄積部
４−２  制御情報保持部
４−３  制御部
４−３１  第１ブロック割り当て部
４−３２  第２ブロック割り当て部
４−３３  ブロック割り当て制御部
４−４  基地局インタフェース部
４−５  外部ネットワークインタフェース部
５、６  ネットワーク
７  配信用コンテンツ提供装置
８  交通状況情報提供装置
１０  アンテナ
１１  送受信部
１２  記憶部
１３  制御部
１４  制御局インタフェース部
【図１】
2005109692.tif 000003
【図２】
2005109692.tif 000004
【図３】
2005109692.tif 000005
【図４】
2005109692.tif 000006
【図５】
2005109692.tif 000007
【図６】
2005109692.tif 000008
【図７】
2005109692.tif 000009
【図８】
2005109692.tif 000010
【図９】
2005109692.tif 000011
【図１０】
2005109692.tif 000012